(57)【要約】【課題】  パーソナルコンピュータから出力される所定処理に関わる通知をパーソナルコンピュータから離れた場所でも受けることができる電話システムを提供する。【解決手段】  ネットワークに接続され所定処理に関わる通知音の信号を出力する機能を備えるパーソナルコンピュータ２１と、電話回線２４に接続され親機２７と子機２８とを備えるコードレス電話機と、を備える電話システム１００であり、親機２７は、パーソナルコンピュータ２１と接続され、パーソナルコンピュータ２１から出力される通知音の信号を検出する通知音検出手段（通知音検出回路１０）と、通知音の検出を受けて子機２８に検出信号を送信する手段（無線送受信回路４）を有し、子機２８は検出信号を受けて報知する報知手段を有する。【選択図】  図１
2005175723.tif 000002
【特許請求の範囲】
【請求項１】
ネットワークに接続され所定処理に関わる通知音の信号を出力する機能を備えるパーソナルコンピュータと、電話回線に接続され親機と子機とを備えるコードレス電話機と、を備える電話システムであって、
前記親機は、パーソナルコンピュータと接続され前記パーソナルコンピュータから出力される通知音の信号を検出する通知音検出手段と、前記通知音の検出を受けて前記子機に検出信号を送信する手段と、を有し、
前記子機は、前記検出信号を受けて報知する報知手段を有することを特徴とする電話システム。
【請求項２】
前記所定処理に関わる通知音の信号は、インスタントメッセンジャーによるイベントの通知音の信号を含むことを特徴とする請求項１に記載の電話システム。
【請求項３】
前記コードレス電話機の親機は、ＵＳＢオーディオ手段を有し、前記パーソナルコンピュータとのＵＳＢ接続を介して、前記通知音の信号を示すＵＳＢオーディオ信号が前記ＵＳＢオーディオ手段に伝達されることを特徴とする請求項２に記載の電話システム。
【請求項４】
前記子機による通話中に、前記所定処理に関わる通知を前記子機により報知可能なことを特徴とする請求項１〜３のいずれかに記載の電話システム。
【請求項５】
前記報知手段は、前記所定処理に関わる通知を特有の形態で報知することを特徴とする請求項１〜４のいずれかに記載の電話システム。
【請求項６】
親機と子機とを備えるコードレス電話機であって、
前記親機は、ＵＳＢオーディオ手段及び前記通知音の信号を検出する通知音検出手段を有し、
前記通知音検出手段による通知音の信号の検出を受けて、前記子機に検出信号を送信することを特徴とするコードレス電話機。
【請求項７】
前記コードレス電話機は、親機に子機を載置して充電する形式であることを特徴とする請求項６に記載のコードレス電話機。
【請求項８】
前記コードレス電話機は、親機とは別の充電器に子機を載置して充電する形式であることを特徴とする請求項６又は７に記載のコードレス電話機。
【発明の詳細な説明】
【技術分野】
【０００１】
本発明は、所定処理に関わる通知音の信号を出力する機能を備えるパーソナルコンピュータを有する電話システム及びその電話システムのコードレス電話機。
【背景技術】
【０００２】
ユーザーがパーソナルコンピュータを使用している場合には、常にパーソナルコンピュータのモニタを見ることが出来るので、パーソナルコンピュータから出力される所定処理に関わる通知（例えば、電子メールの着信通知など）を画面の表示や音声などで容易に確認することができる。
ところが、ユーザーがパーソナルコンピュータから離れてしまうと、当然ながら、上記のようなパーソナルコンピュータからの所定処理に関わる通知を確認することはできない。このため、コードレス電話機をパーソナルコンピュータに結合して、このコードレス電話機の子機に電子メールの着信を通知する技術がある（例えば、特許文献１参照）。
また、コードレス子機を備えたＦＡＸ機とパーソナルコンピュータとを結合して電子メール情報を子機に報知するものもある（例えば、特許文献２参照）。
【特許文献１】特開２０００−１１５４４０号公報
【特許文献２】特開２００２−４９５６５号公報
【発明の開示】
【発明が解決しようとする課題】
【０００３】
ところで、最近、インターネット上で、同じソフトウェアを利用しているユーザーがオンライン状態（パソコンの電源が入って、インターネットに接続されている状態）に有るか否かを調べ、オンライン状態にあればチャットやファイル転送などを行うことができるインスタントメッセンジャー（Instant Messenger）（もしくはＩＭクライアントとも云う）と云うソフトウェアが使われている。
さらに、オンラインゲームやインターネット電話（ＩＰ電話）、ビデオ会議など他のアプリケーションソフトと連携できる機能を備えたインスタントメッセンジャーもある。
【０００４】
ところが、インスタントメッセンジャーを使用したシステムに新たに任意のユーザーがログインしたことやファイルのダウンロードが完了したことなどに関する通知等に対しては、前述のコードレス電話機の子機に電子メールの着信を通知するなどの従来技術では対応できない。また、前述の従来技術では、付加装置を付けずに、インスタントメッセンジャーを利用したボイスチャット等を行うことも不可能である。
【０００５】
本発明が解決する課題は、パーソナルコンピュータから出力される所定処理に関わる通知をパーソナルコンピュータから離れた場所でも受けることができる電話システムを提供することが一例としてあげられる。
【課題を解決するための手段】
【０００６】
前記課題を解決するために、請求項１に記載の電話システムは、ネットワークに接続され所定処理に関わる通知音の信号を出力する機能を備えるパーソナルコンピュータと、電話回線に接続され親機と子機とを備えるコードレス電話機と、を備える電話システムであって、前記親機は、パーソナルコンピュータと接続され、前記パーソナルコンピュータから出力される通知音の信号を検出する通知音検出手段と、前記通知音の検出を受けて前記子機に検出信号を送信する手段と、を有し、  前記子機は、前記検出信号を受けて報知する報知手段を有することを特徴とする。
【０００７】
また、請求項４に記載のコードレス電話機は、親機と子機とを備えるコードレス電話機であって、前記親機は、ＵＳＢオーディオ手段及び前記通知音の信号を検出する通知音検出手段を有し、前記通知音検出手段による通知音の信号の検出を受けて、前記子機に検出信号を送信することを特徴とする。
【発明を実施するための最良の形態】
【０００８】
本発明の実施の形態に係るパーソナルコンピュータを使用した電話システムの一例を図１に示す。
図１に示すように、本実施の形態の電話システム１００は、ネットワークに接続され所定処理に関わる通知音の信号を出力する機能を備えるパーソナルコンピュータ２１と、電話回線に接続されたコードレス電話機の親機２７と、子機２８とを有する。
パーソナルコンピュータ２１は、モデム２２及びスプリッタ２３を介して通信回線（電話回線）２４に接続されて、この通信回線を介してインターネット等のネットワークに接続されている。
また、パーソナルコンピュータ２１のＵＳＢ端子からＵＳＢケーブル２６を介して、コードレス電話機の親機２７のＵＳＢ端子に接続されると共に、コードレス電話機の親機２７の電話回線（外線）接続端子はモデム２２及びスプリッタ２３を介して電話回線２４に接続されている。
【０００９】
また、上記の所定処理に関わる通知としては、例えば、インスタントメッセンジャーを使用したシステムに任意のユーザーがログインした時の通知やソフトウェアのダウンロード完了の通知などが挙げられる。
このような通知は、パーソナルコンピュータ２１のＯＳ（Operating System）の設定で、通知音の割り当てを行っておくと、パーソナルコンピュータ２１に付属するスピーカ等にその通知音が出力される。
【００１０】
また、上記の所定処理の通知音を他の処理の通知音と区別し、上記の所定処理の通知音のみをＵＳＢ端子から出力するように設定しておくと、上記の所定処理の通知音は、ＯＳに含まれる標準のＵＳＢオーディオドライバによってＵＳＢオーディオ信号に変換されて、パーソナルコンピュータ２１のＵＳＢ端子から出力され、このＵＳＢオーディオ信号はＵＳＢケーブル２６を介してコードレス電話機の親機２７に伝達される。
親機２７はＵＳＢオーディオ信号を検出する通知音検出回路（通知音検出手段）を有しており、オーディオ信号検出回路による検出を受けて、子機２８に検出信号を送信する。子機２８は、この検出信号を受信することにより、ベルを鳴動させたり、ディスプレイパネルに通知が有った旨を表示させてユーザーに報知する（報知手段）。
【００１１】
次に、本実施の形態におけるコードレス電話機の親機の構成を図２を用いて説明する。
図２は、本発明のコードレス電話機の親機の構成を示すブロック図である。
図２において、親機は、電話回線（外線）接続端子Ｌ１，Ｌ２に入力される外線着信信号および受話信号を検波する検波回路１と、電話機と電話回線との回線接続を制御する回線制御回路２と、この回線制御回路２を介して入力されてくる受話信号を他の回路に送出したり、外線への送話信号の送出を行う通話回路３とを備えている。
【００１２】
また、子機との間でＭＣＡ（マルチ・チャンネル・アクセス）方式による無線通話回路を形成する無線送受信回路４と、子機との間で無線の送受信を行うアンテナ５と、回線制御回路２および通話回路３，無線送受信回路４に接続されて各回路の作動制御および音声ダイヤル機能の制御を行うＣＰＵ６とを備えている。
また、７は外線接続端子Ｌ１，Ｌ２から入力されてくる外線着信信号を検出するベル検出回路（リング回路）であり、このリング回路７による外線着信信号の検出によって、図示しないモニタスピーカを鳴らす。
【００１３】
なお、図２には示されてはいないが、親機にはＣＰＵ６に接続されて電話番号等のデータ入力や電話機操作を行うキースイッチと、ＣＰＵ６に接続されたドライバおよび該ドライバによって駆動される液晶パネルや有機ＥＬなどのディスプレイパネルを備えている。
【００１４】
さらに、親機２７の本体には、パーソナルコンピュータ２１のＵＳＢ端子にＵＳＢケーブルを介して接続させるＵＳＢ端子を設け、該ＵＳＢ端子の入出力を制御するＵＳＢ制御ＣＯＵ８と、デジタル／アナログ変換、及び、アナログ／デジタル変換するＤ／Ａ，Ａ／Ｄ変換部９を設け、該Ｄ／Ａ，Ａ／Ｄ変換部９の一端を前記通話回路３と無線送受信回路間に接続する。
【００１５】
なお、本願明細書では、前記コードレス電話機の親機２７に備えられる、ＵＳＢ端子の入出力を制御するＵＳＢ制御ＣＯＵ８と、Ｄ／Ａ，Ａ／Ｄ変換部９とで実現される機能をＵＳＢオーディオ機能といい、該機能を実現する手段をＵＳＢオーディオ手段という。
【００１６】
さらに、パーソナルコンピュータ２１のＵＳＢ端子からＵＳＢオーディオ信号として出力された通知音の信号を検出する通知音検出回路（通知音検出手段）１０が、Ｄ／Ａ，Ａ／Ｄ変換部９に接続され、通知音が検出された場合には、この通知音検出回路から検出信号が発せられて、無線送受信回路４より、子機２８に送信される。
【００１７】
なお、図２では、前記ＵＳＢ制御ＣＰＵ８をコードレス電話機の親機用のＣＰＵ６とは別に設けているが、両者を１個のＣＰＵで兼用することも可能である。
【００１８】
また、コードレス電話機の子機２８の構成は、図３に示す構成になっている。
親機２７との間で無線の送受信を行うアンテナ１１と、このアンテナ１１を介して親機２７との間でＭＣＡ方式による無線通話回路を形成する無線送受信回路１２と、この無線送受信回路１２を介して入力されてくる受話信号や外線に送  出する通話回路１３の音声処理を行うＣＰＵ１４とを備えている。
【００１９】
また、ＣＰＵ１４に接続されて電話番号等のデータ入力や電話機操作を行うキースイッチ１５と、ＣＰＵ１４に接続された表示回路（ドライバ）１６によって駆動される図示しない液晶パネルや有機ＥＬなどのディスプレイパネルとを備えている。また、図３中、１７はマイク、１８はレシーバ（スピーカ）である。
【００２０】
そして、無線送受信回路１２が親機２７から送信された検出信号を受信するとＣＰＵ１４に送信され、ＣＰＵ内に設けられた検出信号受信部１４ａがこの検出信号を受信することにより、レシーバー１８からベル音を出力させたり、表示回路（ドライバ）１６に信号を送信し、ディスプレイパネルに通知が有った旨を表示させてユーザーに報知する（報知手段）。
このような報知は、ユーザーが外線を使用した通話中や後述するインスタントメッセンジャーのボイスチャットで通話中の場合にも報知することができる。
【００２１】
また、上記の報知手段は、特有の形態で報知することが好ましく、例えば、外線着信のときなどの呼び出し音や表示とは区別がつくような音やディスプレイパネルの表示や特有のサイン（例えば、子機にＬＥＤ等によるランプを設けて、このランプを点滅するなど）などにより、パーソナルコンピュータ２１の所定処理に関わる通知であることが、ユーザーにすぐに判別できるようにする報知する。
なお、上記報知手段による報知をオン・オフできるスイッチを子機２８に設けてもよい。
【００２２】
また、本実施の形態のコードレス電話機の親機２７は、パーソナルコンピュータ２１をモデム２２及びスプリッタ２３を介して通信回線（電話回線）２４に接続し、パーソナルコンピュータ２１のＵＳＢ端子からＵＳＢケーブル２６を介して、コードレス電話機２７の親機のＵＳＢ端子に接続されていることによって、本実施の形態の電話システム１００は、インスタントメッセンジャーのボイスチャットを子機２８を用いて実現できる。
【００２３】
また、本実施の形態の電話システム１００では、インスタントメッセンジャーに関する信号はパーソナルコンピュータ２１でパケット化されたデジタル信号であり、電話回線を介した回線交換で通話される音声信号はアナログ信号であるので、同一の電話回線でもＡＤＳＬ等の伝送技術を用いることによって、両方の信号を送受することが可能である。
また、パーソナルコンピュータ２１は、電話回線に接続されずに、広域ＬＡＮ回線や光通信回線等を介してインターネット等のネットワークに接続されているものでもよい。
【００２４】
また、本発明の実施の形態のコードレス電話機の親機２７と子機２８との構造的な関係としては、親機２７に子機２８を載置して子機２８の充電を行うタイプや、親機２７とは別の充電器を備えていて子機２８を受電するタイプのどちらでも採用できる。
【００２５】
次に、本実施の形態の電話システム１００において、所定処理に関わる通知の一例として、インスタントメッセンジャーを使用したシステムに任意のユーザーがログインした時の通知を挙げ、この通知が有ったときの動作を図４を用いて説明する。
【００２６】
図４において、パーソナルコンピュータ２１では、インスタントメッセンジャーが動作しており、その、画面の一部を図２１ａに示す。
任意のユーザーである＊＊さんがインスタントメッセンジャーを使用したシステムにログインした場合、インスタントメッセンジャーの表示画面では図２１ａに示すように、「オンライン」の項に＊＊さんの名前（チャットネーム等）やＩＤなどが表示され、さらに、例えば、「＊＊さんがログインしました」という旨のポップアップ表示がなされる場合もある。
【００２７】
また、パーソナルコンピュータ２１のＯＳの設定で、上記のログインのイベント発生時の通知音の割り当てを行っておくと、パーソナルコンピュータ２１に付属するスピーカから割り当てられた通知音が出力される。
【００２８】
さらに、ＯＳに含まれる標準のＵＳＢオーディオドライバによって、上記ログインのイベント発生時の通知音がＵＳＢオーディオ信号に変換されて、パーソナルコンピュータ２１のＵＳＢ端子より出力される。この出力されたＵＳＢオーディオ信号は、ＵＳＢケーブル２６を介して、コードレス電話の親機２７に送信され、通知音検出回路１０がこのＵＳＢオーディオ信号を検出することにより、検出信号が子機２８に無線送信される。
子機２８は、この検出信号を検出することにより、例えば、「ピピピ」などの鳴動音をレシーバー１８から発する（ディスプレイパネルに通知が有った旨を表示させてもよい）ことにより、子機２８の近くにいるユーザーに報知することができる。
【００２９】
上述のように、ユーザーがパーソナルコンピュータ２１から離れた場所にいる場合においても、コードレス電話機の子機２８を近くに置いていれば（あるいは、持っていれば）、インスタントメッセンジャーを使用したシステムに新たに任意のユーザーがログインしたことをユーザーがすぐに知ることが出来る。
所定処理のイベントが発生した時の通知音をＵＳＢ端子より出力するように設定しておけば、上記ログイン時の通知のみならず、ファイルのダウンロードが完了した時や新着メールが着信した時などにも適用することができる。
【００３０】
また、本実施の形態の電話システム１００は、処理のイベントが発生した時の通知音をＵＳＢ端子より出力するように設定しておけば、ネットワークとは関係のない処理に対しても適用でき、例えば、動画像のＭＰＥＧエンコード処理等の時間のかかる処理をパーソナルコンピュータ２１に行わせて、その処理の完了通知をコードレス電話機の子機２８に通知するということにも適用できるものである。
【００３１】
以上のように、本実施の形態の電話システムは、ネットワークに接続され、所定処理に関わる通知音の信号を出力する機能を備えるパーソナルコンピュータ２１と、電話回線２４に接続され、親機２７と子機２８とを備えるコードレス電話機と、を備える電話システム１００であり、親機２７は、パーソナルコンピュータ２１と接続され、パーソナルコンピュータ２１から出力される通知音の信号を検出する通知音検出手段（通知音検出回路１０）と、通知音の検出を受けて子機２８に検出信号を送信する手段（無線送受信回路４）を有し、子機２８は検出信号を受けて報知する報知手段を有する。
これにより、パーソナルコンピュータ２１とＵＳＢケーブル２６等で接続されたコードレス電話機の親機２７がこの通知音の信号を検出し、子機２８に送信して、子機２８が鳴動音やディスプレイパネルへの表示などでユーザーに報知することができるので、パーソナルコンピュータから出力される所定処理に関わる通知をパーソナルコンピュータから離れた場所でも受けることができる。
【図面の簡単な説明】
【００３２】
【図１】本発明の実施の形態における電話システムの使用形態を示す図である。
【図２】本発明の実施の形態におけるコードレス電話機の親機の構成を示すブロック図である。
【図３】本発明の実施の形態におけるコードレス電話機の子機の構成を示すブロック図である。
【図４】本発明の実施の形態における所定処理に関わる通知が有ったときの動作の一例を説明する図である。
【符号の説明】
【００３３】
１０  通知音検出回路（通知音検出手段）
１４ａ  検出信号受信部
２１  パーソナルコンピュータ
２６  ＵＳＢケーブル
２７  （コードレス電話機の）親機
２８  （コードレス電話機の）子機
１００  電話システム
【図１】
2005175723.tif 000003
【図２】
2005175723.tif 000004
【図３】
2005175723.tif 000005
【図４】
2005175723.tif 000006